(57)【要約】【課題】広告効果を向上させることができる表示装置を提供する。【解決手段】表示装置１はコンテンツ生成装置１０と画像表示部２０と情報取得部３０とを備える。画像表示部２０は広告コンテンツＡＣを表示する。情報取得部３０は画像表示部２０の周辺を撮像して撮像情報ＳＪを取得し、画像表示部２０の周辺の環境情報ＫＪを取得する。コンテンツ生成装置１０は情報処理部１２とエンディングコンテンツ生成部１３とコンテンツ再生部１１とを有する。情報処理部１２は撮像情報ＳＪに基づいて観客情報ＺＪ及び注目画面位置情報ＣＪを取得する。エンディングコンテンツ生成部１３は広告ターゲット情報ＴＪと環境情報ＫＪと観客情報ＺＪと注目画面位置情報ＣＪとに基づいてエンディングコンテンツＥＣを生成する。コンテンツ再生部１１は広告コンテンツＡＣの再生後にエンディングコンテンツＥＣを再生し、画像表示部２０に表示させる。【選択図】図１
2019039999.tif 000002
【特許請求の範囲】
【請求項１】
広告コンテンツを再生するコンテンツ生成装置と、
前記広告コンテンツを表示する画像表示部と、
前記画像表示部の周辺を撮像して撮像情報を取得し、前記画像表示部の周辺の気温、湿度、天気、季節のうちの少なくとも１つを含む環境情報を取得する情報取得部と、
を備え、
前記コンテンツ生成装置は、
前記撮像情報に基づいて、前記画像表示部に表示される広告コンテンツを見ている人物の性別及び年齢層を推測して観客情報を取得し、前記広告コンテンツを見ている人物の視線から前記画像表示部における注目画面位置を特定して注目画面位置情報を取得する情報処理部と、
広告主または広告代理店から供給される広告ターゲット情報と前記環境情報と前記観客情報と前記注目画面位置情報とに基づいてエンディングコンテンツを生成するエンディングコンテンツ生成部と、
前記広告コンテンツの再生後に前記エンディングコンテンツを再生し、前記画像表示部に表示させるコンテンツ再生部と、
を有することを特徴とする表示装置。
【請求項２】
前記エンディングコンテンツ生成部は、広告主または広告代理店から供給され、注目してほしい内容を含むイメージ情報と、前記注目してほしい内容の表示時間及び表示方法を含むイメージ表示情報と、前記広告ターゲット情報と、前記環境情報と、前記観客情報と、前記注目画面位置情報とに基づいて、前記エンディングコンテンツを生成する
ことを特徴とする請求項１に記載の表示装置。
【請求項３】
広告コンテンツを再生して画像表示部に表示し、
前記画像表示部の周辺を撮像して撮像情報を取得し、
前記画像表示部の周辺の気温、湿度、天気、季節のうちの少なくとも１つを含む環境情報を取得し、
前記撮像情報に基づいて、前記画像表示部に表示される広告コンテンツを見ている人物の性別及び年齢層を推測して観客情報を取得し、
前記広告コンテンツを見ている人物の視線から前記画像表示部における注目画面位置を特定して注目画面位置情報を取得し、
広告主または広告代理店から供給される広告ターゲット情報と前記環境情報と前記観客情報と前記注目画面位置情報とに基づいてエンディングコンテンツを生成し、
前記広告コンテンツの再生後に前記エンディングコンテンツを再生し、前記画像表示部に表示させる
ことを特徴とする表示方法。
【発明の詳細な説明】
【技術分野】
【０００１】
本発明は、広告コンテンツ等の情報を表示する表示装置及び表示方法に関する。
【背景技術】
【０００２】
近年、街頭、駅構内または電車内等の不特定多数の人物が通るまたは集まる場所に、広告コンテンツ等の情報を表示する表示装置が設置されている。特許文献１には、広告コンテンツ等の情報を表示する表示装置の一例が記載されている。
【先行技術文献】
【特許文献】
【０００３】
【特許文献１】特開２００９−１７６２５４号公報
【発明の概要】
【発明が解決しようとする課題】
【０００４】
従来の表示装置は、広告主から供給される広告コンテンツをモニタ等に表示するため、広告コンテンツを見ている人物の属性または環境によっては、広告コンテンツの内容が見ている人物の記憶に残らない場合がある。従って、従来の表示装置では、広告効果が十分に得られない場合がある。
【０００５】
本発明は、広告効果を従来よりも向上させることができる表示装置及び表示方法を提供することを目的とする。
【課題を解決するための手段】
【０００６】
本発明は、広告コンテンツを再生するコンテンツ生成装置と、前記広告コンテンツを表示する画像表示部と、前記画像表示部の周辺を撮像して撮像情報を取得し、前記画像表示部の周辺の気温、湿度、天気、季節のうちの少なくとも１つを含む環境情報を取得する情報取得部とを備え、前記コンテンツ生成装置は、前記撮像情報に基づいて、前記画像表示部に表示される広告コンテンツを見ている人物の性別及び年齢層を推測して観客情報を取得し、前記広告コンテンツを見ている人物の視線から前記画像表示部における注目画面位置を特定して注目画面位置情報を取得する情報処理部と、広告主または広告代理店から供給される広告ターゲット情報と前記環境情報と前記観客情報と前記注目画面位置情報とに基づいてエンディングコンテンツを生成するエンディングコンテンツ生成部と、前記広告コンテンツの再生後に前記エンディングコンテンツを再生し、前記画像表示部に表示させるコンテンツ再生部とを有することを特徴とする表示装置を提供する。
【０００７】
また、本発明は、広告コンテンツを再生して画像表示部に表示し、前記画像表示部の周辺を撮像して撮像情報を取得し、前記画像表示部の周辺の気温、湿度、天気、季節のうちの少なくとも１つを含む環境情報を取得し、前記撮像情報に基づいて、前記画像表示部に表示される広告コンテンツを見ている人物の性別及び年齢層を推測して観客情報を取得し、前記広告コンテンツを見ている人物の視線から前記画像表示部における注目画面位置を特定して注目画面位置情報を取得し、広告主または広告代理店から供給される広告ターゲット情報と前記環境情報と前記観客情報と前記注目画面位置情報とに基づいてエンディングコンテンツを生成し、前記広告コンテンツの再生後に前記エンディングコンテンツを再生し、前記画像表示部に表示させることを特徴とする表示方法を提供する。
【発明の効果】
【０００８】
本発明の表示装置及び表示方法によれば、広告効果を従来よりも向上させることができる。
【図面の簡単な説明】
【０００９】
【図１】一実施形態の表示装置を示すブロック図である。
【図２】注目画面位置情報の一例を示す図である。
【図３】画像表示部における注目画面位置を示す図である。
【図４】広告ターゲット情報及びイメージ情報の一例を示す図である。
【図５】イメージ表示情報の一例を示す図である。
【図６】エンディングコンテンツ構成内容の一例を示す図である。
【図７】一実施形態の表示方法を示すフローチャートである。
【図８】エンディングコンテンツ構成内容の設定方法の一例を示すフローチャートである。
【発明を実施するための形態】
【００１０】
図１を用いて、一実施形態の表示装置を説明する。表示装置１は、コンテンツ生成装置１０と、画像表示部２０と、情報取得部３０とを備える。コンテンツ生成装置１０は、広告コンテンツＡＣを再生し、画像表示部２０へ出力する。広告コンテンツＡＣは、広告主または広告代理店からコンテンツ生成装置１０に事前に供給されたり、ストリーミング配信されたりする。画像表示部２０は、広告コンテンツＡＣを表示する表示パネルまたはプロジェクタ等の表示機器である。
【００１１】
情報取得部３０はカメラ等の撮像装置を有する。情報取得部３０は、画像表示部２０の周辺を撮像して撮像情報ＳＪを取得し、コンテンツ生成装置１０へ出力する。情報取得部３０は、画像表示部２０の周辺の気温、湿度、天気、季節のうちの少なくとも１つを含む環境情報ＫＪを取得するセンサを有し、取得した環境情報ＫＪをコンテンツ生成装置１０へ出力する。情報取得部３０は、気温、湿度、天気、季節を任意に組み合わせた環境情報ＫＪを取得することができる。
【００１２】
コンテンツ生成装置１０は、コンテンツ再生部１１と、情報処理部１２と、エンディングコンテンツ生成部１３とを有する。コンテンツ再生部１１は、広告主または広告代理店から事前に供給された、またはストリーミング配信された広告コンテンツＡＣを再生し、画像表示部２０に表示させる。
【００１３】
情報処理部１２には、情報取得部３０から撮像情報ＳＪ及び環境情報ＫＪが入力される。情報処理部１２は、環境情報ＫＪを外部からインターネット等の通信回線を介して取得してもよい。情報処理部１２は、撮像情報ＳＪに基づいて、画像表示部２０の周辺の明るさを検出し、環境情報ＫＪとして取得してもよい。表示装置１が電車等の移動体に搭載されている場合には、情報処理部１２は、ＧＰＳ（Global Positioning System）等により現在位置情報を環境情報ＫＪとして取得してもよい。
【００１４】
情報処理部１２は、撮像情報ＳＪに基づいて、画像表示部２０に表示されている広告コンテンツＡＣを見ている人物の数、画像表示部２０までの距離、及び、注目している時間等を計測し、広告コンテンツＡＣを見ている人物の属性を推測し、観客情報ＺＪとして取得する。属性は性別及び年齢層を含んでいる。即ち、観客情報ＺＪは、広告コンテンツＡＣを見ている人物から得られる情報である。情報処理部１２は、広告コンテンツＡＣを見ている人物の属性として職種（例えば学生または会社員等）を推測し、観客情報ＺＪとして取得してもよい。
【００１５】
情報処理部１２は、広告コンテンツＡＣを見ている人物の視線から画像表示部２０における注目画面位置（ｘｙ座標）を特定し、注目画面位置情報ＣＪとして取得する。即ち、注目画面位置情報ＣＪは、広告コンテンツＡＣを見ている人物から得られる情報である。
【００１６】
図２は、注目画面位置情報ＣＪの一例として、注目画面位置を注目度が高い順に示している。情報処理部１２は、注目画面位置を見ている人物の数、画像表示部２０までの距離、または注目している時間に基づいて、注目度の高い順を決定する。図３は画像表示部２０における注目画面位置を示している。図２に示す注目画面位置情報ＣＪは、画像表示部２０の画面右上の位置が最も注目されている場合を示している。情報処理部１２は、観客情報ＺＪ、環境情報ＫＪ、及び、注目画面位置情報ＣＪをエンディングコンテンツ生成部１３へ出力する。
【００１７】
エンディングコンテンツ生成部１３は、広告主または広告代理店から広告ターゲット情報ＴＪ及びイメージ情報ＩＪを取得する。広告ターゲット情報ＴＪは、広告ターゲットの属性を含む。広告ターゲットとは、広告コンテンツＡＣを見てほしい対象（人物）を示す。図４は広告ターゲット情報ＴＪ及びイメージ情報ＩＪの一例として、広告ターゲットの性別及び年齢層を優先順位が高い順に示している。イメージ情報ＩＪは広告ターゲット情報ＴＪと関連付けられて設定されている。
【００１８】
イメージ情報ＩＪは、広告ターゲットの性別及び年齢層別に注目してほしい内容、例えば商品イメージＩＭａ（ＩＭａ１〜ＩＭａ４）、キャッチフレーズＩＭｂ（ＩＭｂ１〜ＩＭｂ４）、及び、イメージキャラクタＩＭｃ（ＩＭｃ１〜ＩＭｃ４）を含む。イメージ情報ＩＪは、広告ターゲットの性別及び年齢層別に注目してほしい内容が表示される背景ＩＭｄ（ＩＭｄ１〜ＩＭｄ４）を含む。
【００１９】
エンディングコンテンツ生成部１３は、広告主または広告代理店からイメージ表示情報ＤＪを取得する。図５はイメージ表示情報ＤＪの一例として、商品イメージＩＭａ、キャッチフレーズＩＭｂ、及び、イメージキャラクタＩＭｃの表示時間及び表示方法と、背景ＩＭｄの表示時間とを示している。商品イメージＩＭａ、キャッチフレーズＩＭｂ、イメージキャラクタＩＭｃ、及び、背景ＩＭｄは、動画または静止画として画像表示部２０に表示される。
【００２０】
エンディングコンテンツ生成部１３は、観客情報ＺＪ、環境情報ＫＪ、注目画面位置情報ＣＪ、広告ターゲット情報ＴＪ、イメージ情報ＩＪ、及び、イメージ表示情報ＤＪに基づいて、エンディングコンテンツ構成内容ＥＪを設定する。図６はエンディングコンテンツ構成内容ＥＪの一例を示している。
【００２１】
エンディングコンテンツ構成内容ＥＪにおける商品イメージＩＭａ、キャッチフレーズＩＭｂ、イメージキャラクタＩＭｃ、及び、背景ＩＭｄは、観客情報ＺＪ及び広告ターゲット情報ＴＪに基づいて設定される。エンディングコンテンツ生成部１３は、広告コンテンツＡＣを見ている人物に対して、優先順位ごとに広告ターゲットの有無を判定する。
【００２２】
広告コンテンツＡＣを見ている人物に対して２０歳以上の男性が存在すると判定された場合には、エンディングコンテンツ生成部１３は、イメージ表示情報ＤＪに基づいて、商品イメージＩＭａ１、キャッチフレーズＩＭｂ１、イメージキャラクタＩＭｃ１、及び、背景ＩＭｄ１を選択する。
【００２３】
広告コンテンツＡＣを見ている人物に対して２０歳以上の男性が存在しない、かつ、２０歳以上の女性が存在すると判定された場合には、エンディングコンテンツ生成部１３は、イメージ表示情報ＤＪに基づいて、商品イメージＩＭａ２、キャッチフレーズＩＭｂ２、イメージキャラクタＩＭｃ２、及び、背景ＩＭｄ２を選択する。
【００２４】
エンディングコンテンツ生成部１３は、広告コンテンツＡＣを見ている複数の人物に対して、最も多い広告ターゲットを判定するようにしてもよい。広告コンテンツＡＣを見ている複数の人物に対して２０歳以上の男性が最も多いと判定された場合には、エンディングコンテンツ生成部１３は、イメージ表示情報ＤＪに基づいて、商品イメージＩＭａ１、キャッチフレーズＩＭｂ１、イメージキャラクタＩＭｃ１、及び、背景ＩＭｄ１を選択する。
【００２５】
広告コンテンツＡＣを見ている人物に対して２０歳以上の女性が最も多いと判定された場合には、エンディングコンテンツ生成部１３は、イメージ表示情報ＤＪに基づいて、商品イメージＩＭａ２、キャッチフレーズＩＭｂ２、イメージキャラクタＩＭｃ２、及び、背景ＩＭｄ２を選択する。
【００２６】
エンディングコンテンツ生成部１３は、広告コンテンツＡＣを見ている人数に対して、広告ターゲットごとに設定された係数を乗算し、広告コンテンツＡＣを見ている人物の重み付けをしてもよい。例えば、２０歳以上の男性ターゲットの係数をα１とし、２０歳以上の女性ターゲットの係数をα２（α１＞α２）とすると、エンディングコンテンツ生成部１３は、広告コンテンツＡＣを見ている２０歳以上の男性の数に係数α１を乗算し、広告コンテンツＡＣを見ている２０歳以上の女性の数に係数α２を乗算する。
【００２７】
２０歳未満の男性ターゲットの係数をα３（α２＞α３）とし、２０歳未満の女性ターゲットの係数をα４（α３＞α４）とすると、エンディングコンテンツ生成部１３は、広告コンテンツＡＣを見ている２０歳未満の男性の数に係数α３を乗算し、広告コンテンツＡＣを見ている２０歳未満の女性の数に係数α４を乗算する。
【００２８】
エンディングコンテンツ生成部１３は、乗算された値が最も大きい広告ターゲットを特定し、イメージ表示情報ＤＪに基づいて、商品イメージＩＭａ、キャッチフレーズＩＭｂ、イメージキャラクタＩＭｃ、及び、背景ＩＭｄを選択する。
【００２９】
エンディングコンテンツ生成部１３は、広告コンテンツＡＣを見ている人物の画像表示部２０までの距離、または注目している時間を用いて、商品イメージＩＭａ、キャッチフレーズＩＭｂ、イメージキャラクタＩＭｃ、及び、背景ＩＭｄを選択するようにしてもよい。
【００３０】
エンディングコンテンツ構成内容ＥＪにおける商品イメージＩＭａ、キャッチフレーズＩＭｂ、及び、イメージキャラクタＩＭｃの表示位置及び表示サイズは、注目画面位置情報ＣＪに基づいて設定される。注目してほしい内容を、商品イメージＩＭａ、キャッチフレーズＩＭｂ、イメージキャラクタＩＭｃの順とすると、エンディングコンテンツ生成部１３は、最も優先順位の高い商品イメージＩＭａを最も注目度が高い注目画面位置Ｐａに配置させたり、表示サイズをキャッチフレーズＩＭｂ及びイメージキャラクタＩＭｃよりも大きくさせたりする。
【００３１】
エンディングコンテンツ生成部１３は、観客情報ＺＪまたは広告ターゲット情報ＴＪに基づいて、商品イメージＩＭａ、キャッチフレーズＩＭｂ、及び、イメージキャラクタＩＭｃの表示サイズを設定してもよい。例えば、広告コンテンツＡＣを見ている人物または広告ターゲットが高い年齢層（例えば６０歳以上）の場合、エンディングコンテンツ生成部１３は、表示サイズが基準サイズよりも大きくなるように設定する。
【００３２】
エンディングコンテンツ構成内容ＥＪにおける商品イメージＩＭａ、キャッチフレーズＩＭｂ、及び、イメージキャラクタＩＭｃの表示時間及び表示方法と、背景ＩＭｄの表示時間とは、イメージ表示情報ＤＪに基づいて設定される。エンディングコンテンツ構成内容ＥＪにおける表示の明るさ（輝度）及び色温度は、環境情報ＫＪに基づいて設定される。
【００３３】
例えば、エンディングコンテンツ生成部１３は、画像表示部２０の周辺が第１の明るさ以上の場合には表示を第２の明るさ以上に設定し、第１の明るさ未満の場合には表示を第２の明るさ未満に設定する。エンディングコンテンツ生成部１３は、寒い季節（冬）または低い気温（例えば２０℃以下）の場合には暖色系の表示になるように、基準の色温度よりも低い色温度（例えば４０００Ｋ以下）に設定し、暑い季節（夏）または高い気温（例えば３０℃以上）の場合には寒色系の表示になるように、基準の色温度よりも高い色温度（例えば６０００Ｋ以上）に設定する。
【００３４】
エンディングコンテンツ生成部１３は、環境情報ＫＪに基づいて背景ＩＭｄを選択するようにしてもよい。エンディングコンテンツ生成部１３は、寒い季節または低い気温の場合には、複数の背景ＩＭｄ１〜ＩＭｄ４から暖色系の背景を選択し、暑い季節または高い気温の場合には寒色系の背景を選択する。
【００３５】
エンディングコンテンツ生成部１３は、エンディングコンテンツ構成内容ＥＪに基づいて、エンディングコンテンツＥＣを生成し、コンテンツ再生部１１へ出力する。エンディングコンテンツＥＣは、広告コンテンツＡＣの再生後に続けて再生されるコンテンツであり、広告イメージを強調させ、広告コンテンツＡＣを見ている人物に対する印象度を向上させることを目的としている。
【００３６】
コンテンツ再生部１１は、広告コンテンツＡＣの再生が完了したか否かを判定し、完了したと判定された場合には、広告コンテンツＡＣに続けてエンディングコンテンツＥＣを再生し、画像表示部２０に表示させる。
【００３７】
図７及び図８に示すフローチャートを用いて、エンディングコンテンツＥＣの生成及び表示方法の一例を説明する。コンテンツ再生部１１は、図７に示すステップＳ１にて、広告コンテンツＡＣを再生し、画像表示部２０に表示させる。
【００３８】
情報取得部３０は、ステップＳ２にて、画像表示部２０の周辺を撮像して撮像情報ＳＪを取得し、情報処理部１２へ出力する。情報取得部３０は、ステップＳ３にて、環境情報ＫＪを取得し、情報処理部１２へ出力する。情報取得部３０は、ステップＳ２及びＳ３を並行して実行してもよく、前後して実行してもよい。情報取得部３０に替えて情報処理部１２が環境情報ＫＪを取得してもよい。
【００３９】
情報処理部１２は、ステップＳ４にて、撮像情報ＳＪに基づいて、画像表示部２０に表示されている広告コンテンツＡＣを見ている人物の数、画像表示部２０までの距離、及び、注目している時間等を計測し、広告コンテンツＡＣを見ている人物の属性を推測し、観客情報ＺＪを取得する。
【００４０】
情報処理部１２は、ステップＳ５にて、広告コンテンツＡＣを見ている人物の視線から画像表示部２０における注目画面位置を特定し、注目画面位置情報ＣＪを取得する。情報処理部１２は、観客情報ＺＪ、環境情報ＫＪ、及び、注目画面位置情報ＣＪをエンディングコンテンツ生成部１３へ出力する。
【００４１】
エンディングコンテンツ生成部１３は、ステップＳ６にて、広告主または広告代理店から取得した広告ターゲット情報ＴＪ及びイメージ情報ＩＪと、情報処理部１２により取得された観客情報ＺＪ、環境情報ＫＪ、注目画面位置情報ＣＪ、及び、イメージ表示情報ＤＪとに基づいて、エンディングコンテンツ構成内容ＥＪを設定する。
【００４２】
エンディングコンテンツ生成部１３は、ステップＳ７にて、エンディングコンテンツ構成内容ＥＪに基づいて、エンディングコンテンツＥＣを生成し、コンテンツ再生部１１へ出力する。コンテンツ再生部１１は、ステップＳ８にて、広告コンテンツＡＣの再生が完了したか否かを判定する。
【００４３】
広告コンテンツＡＣの再生が完了した（ＹＥＳ）と判定された場合には、コンテンツ再生部１１は、ステップＳ９にて、広告コンテンツＡＣの再生後に続けてエンディングコンテンツＥＣを再生し、画像表示部２０に表示させる。広告コンテンツＡＣの再生が完了していない（ＮＯ）と判定された場合には、表示装置１は処理をステップＳ２に戻す。ステップＳ２〜Ｓ８は、広告コンテンツＡＣの再生中に繰り返し実行される。
【００４４】
コンテンツ再生部１１は、ステップＳ１０にて、エンディングコンテンツＥＣの再生が完了したか否かを判定する。エンディングコンテンツＥＣの再生が完了していない（ＮＯ）と判定された場合には、表示装置１はエンディングコンテンツＥＣの再生が完了した（ＹＥＳ）と判定されるまで、ステップＳ１０を繰り返す。エンディングコンテンツＥＣの再生が完了した（ＹＥＳ）と判定された場合には、表示装置１は処理を終了させる。
【００４５】
エンディングコンテンツＥＣの再生が完了した（ＹＥＳ）と判定された場合、表示装置１は処理をステップＳ１に戻すようにしてもよい。処理をステップＳ１に戻すことにより、広告コンテンツＡＣは繰り返し再生され、エンディングコンテンツＥＣは広告コンテンツＡＣが再生される度に更新されるエンディングコンテンツ構成内容ＥＪに基づいて生成される。
【００４６】
図８に示すフローチャートを用いて、図７に示すステップＳ６におけるエンディングコンテンツ構成内容ＥＪの設定方法の一例を説明する。エンディングコンテンツ生成部１３は、ステップＳ６１にて、観客情報ＺＪ及び広告ターゲット情報ＴＪに基づいて、商品イメージＩＭａ、キャッチフレーズＩＭｂ、イメージキャラクタＩＭｃ、及び、背景ＩＭｄを設定する。
【００４７】
エンディングコンテンツ生成部１３は、ステップＳ６２にて、注目画面位置情報ＣＪに基づいて、商品イメージＩＭａ、キャッチフレーズＩＭｂ、及び、イメージキャラクタＩＭｃの表示位置及び表示サイズを設定する。エンディングコンテンツ生成部１３は、観客情報ＺＪまたは広告ターゲット情報ＴＪに基づいて、表示サイズを設定してもよい。
【００４８】
エンディングコンテンツ生成部１３は、ステップＳ６３にて、イメージ表示情報ＤＪに基づいて、商品イメージＩＭａ、キャッチフレーズＩＭｂ、及び、イメージキャラクタＩＭｃの表示時間及び表示方法と、背景ＩＭｄの表示時間とを設定する。
【００４９】
エンディングコンテンツ生成部１３は、ステップＳ６４にて、環境情報ＫＪに基づいて、表示の明るさ（輝度）及び色温度を設定する。エンディングコンテンツ生成部１３は、ステップＳ６１〜Ｓ６４により、エンディングコンテンツ構成内容ＥＪを設定する。
【００５０】
本実施形態の表示装置１及び表示方法は、広告コンテンツＡＣを見ている人物から得られる情報に対応させて注目してほしい内容を設定し、エンディングコンテンツＥＣを生成する。本実施形態の表示装置１及び表示方法によれば、広告コンテンツＡＣの再生後に、広告コンテンツＡＣを見ている人物から得られる情報に対応させてエンディングコンテンツＥＣを生成し、再生することにより、広告効果を従来よりも向上させることができる。
【００５１】
本発明は、上述した本実施形態に限定されるものではなく、本発明の要旨を逸脱しない範囲において種々変更可能である。
【００５２】
本実施形態の表示装置１及び表示方法では、広告ターゲットを２０歳以上または２０歳未満の２つの年齢層に設定したが、年齢層を任意に設定してもよい。例えば、１０歳台、２０歳台、３０歳台、４０歳台、または５０歳台のように、年齢層をより細かく設定してもよい。
【符号の説明】
【００５３】
１  表示装置
１０  コンテンツ生成装置
１１  コンテンツ再生部
１２  情報処理部
１３  エンディングコンテンツ生成部
ＡＣ  広告コンテンツ
ＳＪ  撮像情報
ＫＪ  環境情報
ＺＪ  観客情報
ＣＪ  注目画面位置情報
ＴＪ  広告ターゲット情報
ＥＣ  エンディングコンテンツ
【図１】
2019039999.tif 000003
【図２】
2019039999.tif 000004
【図３】
2019039999.tif 000005
【図４】
2019039999.tif 000006
【図５】
2019039999.tif 000007
【図６】
2019039999.tif 000008
【図７】
2019039999.tif 000009
【図８】
2019039999.tif 000010